(57)【要約】【課題】携帯端末でも簡単に登録が可能となり、保護者の手間が軽減される連絡網システムを提供する。【解決手段】登録手続において、サーバコンピュータが携帯端末の表示部に出力させる登録用画面は、１年〜６年の各学年の表示１０，１０・・を縦に並べ、その各学年の表示１０の横に、氏名を入力する入力欄１１，１１・・を夫々設けて、学年の表示１０と入力欄１１とを一対一で対応付けした内容となっている。よって、保護者は、登録用画面においては、自分の子供が該当する学年の表示１０の隣の入力欄１１に子供の氏名のみを入力すればよく、サーバコンピュータは、入力された氏名を学年に関連付けて受け付ける。【選択図】図３
2010097495.tif 000002
【特許請求の範囲】
【請求項１】
サーバコンピュータと、
前記サーバコンピュータによって少なくとも子供の氏名と学年とを登録して構築されるデータベースと、
前記サーバコンピュータと通信回線を介して相互通信可能で、表示部を備えた携帯端末と、を含み、
前記サーバコンピュータから前記携帯端末に、前記表示部へ所定の登録用画面を出力させる登録用データを送信し、前記携帯端末から前記サーバコンピュータに前記登録用画面への入力データを返信することで、前記サーバコンピュータが前記入力データに基づいて前記子供の氏名と学年とを前記データベースに登録する連絡網システムであって、
前記登録用画面を、学年の表示と氏名の入力欄とを一対一で対応付けて夫々全学年分表示した内容として、前記入力データにおいて、前記入力欄に入力された氏名を対応する学年の表示に関連付けした
ことを特徴とする連絡網システム。
【請求項２】
通信回線を介して携帯端末と相互通信可能で、前記携帯端末からの要求に基づいて、少なくとも子供の氏名と学年との登録用画面を前記携帯端末の表示部に出力させる登録用データを送信し、前記携帯端末から返信された前記登録用画面への入力データに基づいてデータベースを構築する連絡網システム用のサーバコンピュータであって、
前記登録用データを、学年の表示と氏名の入力欄とを一対一で対応付けて夫々全学年分表示した登録用画面を出力させるものとして、返信された前記入力データを、前記入力欄に入力された氏名を対応する学年の表示に関連付けした状態で受け付ける
ことを特徴とするサーバコンピュータ。
【発明の詳細な説明】
【技術分野】
【０００１】
本発明は、通信回線を利用して学校側と保護者側との間に構築される連絡網システムと、その連絡網システムに用いられるサーバコンピュータとに関する。
【背景技術】
【０００２】
近年、学校と保護者との間の連絡網として、インターネット等の通信回線を利用した連絡網システムが知られている。これは、特許文献１，２に示すように、学校側が有するサーバコンピュータと、保護者側が有する携帯電話等の携帯端末とをインターネット等の通信回線で相互通信可能に構築してなり、学校から保護者へメール配信を行うことで、例えば行事の中止や不審者に関する情報等を連絡するために使用される。
【０００３】
【特許文献１】特開２００７−１９５０９８号公報
【特許文献２】特開２００３−１５０４９９号公報
【発明の開示】
【発明が解決しようとする課題】
【０００４】
上記連絡網システムにおいて、保護者が学校からのメール配信を受けるためには、学校側のサーバコンピュータにアクセスしてデータベースに登録を行う必要がある。この登録は、サーバコンピュータからの登録用データの送信により、携帯端末の表示部に登録用画面を出力させ、当該登録用画面に保護者が入力した入力データを携帯端末からサーバコンピュータへ返信することで行われる。
図４は、従来の連絡網システムにおいて、子供の氏名と学年とを入力する登録用画面の例を示すものであるが、図４（Ａ）の例では、最初の画面（左側）で子供の氏名の入力欄４０，４０・・を表示し、ここに氏名を入力すると（兄弟がいればその数だけ入力）、次の画面（右側）で子供の学年の選択欄４１，４１・・を表示して、対応する選択欄４１にチェックを入れるようになっている。また、図４（Ｂ）の例では、最初の画面（左側）で子供の学年のみの選択欄４２，４２・・を設け、ここで学年を選択すると、次の画面（右側）で選択した学年に対応する氏名の入力欄４３，４３・・を表示し、ここに氏名を入力するようになっている。
さらに、図４（Ｃ）の例では、一つの画面に子供の氏名の入力欄４４の下に学年の選択欄４５を設けており、氏名の入力と学年の選択とがまとめて行えるようになっている。
【０００５】
ところが、上記入力例では、何れも子供の氏名と学年とを夫々別個に入力若しくは選択する必要があり、特に同図（Ａ）（Ｂ）の入力例では、氏名と学年とを異なる画面で夫々入力しなければならない。このような入力操作は、携帯電話等の小さい画面ではやりづらく、携帯電話等の扱いに慣れていない保護者には非常な手間となっている。
【０００６】
そこで、本発明は、携帯端末でも簡単に登録が可能となり、保護者の手間が軽減される連絡網システムと、その連絡網システムに用いられるサーバコンピュータとを提供することを目的としたものである。
【課題を解決するための手段】
【０００７】
上記目的を達成するために、請求項１に記載の発明は、サーバコンピュータと、サーバコンピュータによって少なくとも子供の氏名と学年とを登録して構築されるデータベースと、サーバコンピュータと通信回線を介して相互通信可能で、表示部を備えた携帯端末と、を含み、サーバコンピュータから携帯端末に、表示部へ所定の登録用画面を出力させる登録用データを送信し、携帯端末からサーバコンピュータに登録用画面への入力データを返信することで、サーバコンピュータが入力データに基づいて子供の氏名と学年とをデータベースに登録する連絡網システムであって、
登録用画面を、学年の表示と氏名の入力欄とを一対一で対応付けて夫々全学年分表示した内容として、入力データにおいて、入力欄に入力された氏名を対応する学年の表示に関連付けしたことを特徴とするものである。
上記目的を達成するために、請求項２に記載の発明は、通信回線を介して携帯端末と相互通信可能で、携帯端末からの要求に基づいて、少なくとも子供の氏名と学年との登録用画面を携帯端末の表示部に出力させる登録用データを送信し、携帯端末から返信された登録用画面への入力データに基づいてデータベースを構築する連絡網システム用のサーバコンピュータであって、
登録用データを、学年の表示と氏名の入力欄とを一対一で対応付けて夫々全学年分表示した登録用画面を出力させるものとして、返信された入力データを、入力欄に入力された氏名を対応する学年の表示に関連付けした状態で受け付けることを特徴とするものである。
【発明の効果】
【０００８】
本発明によれば、保護者は携帯端末の表示部に出力された登録用画面において、学年の表示に対応した入力欄に氏名のみを入力すれば足りる。よって、携帯端末の小さい表示部での入力操作に慣れていない保護者にも簡単に登録が可能となり、保護者の手間が軽減される上、入力ミスの発生も低減される。
【発明を実施するための最良の形態】
【０００９】
以下、本発明の実施の形態を図面に基づいて説明する。
図１は、本発明の連絡網システムの一例を示す概略図で、連絡網システム１において、２は、学校側に設置（学内外を問わない）されるサーバコンピュータで、子供の氏名や学年、住所、連絡先等の登録者情報を記録するデータベース３を、外部記憶装置を用いて構築している。
また、４，４・・は、保護者が有する携帯電話やＰＤＡ等の携帯端末で、液晶画面等の表示部５を有し、インターネット等の通信回線６を介してサーバコンピュータ２と相互通信可能となっている。７は、パーソナルコンピュータで、学校の先生やオペレータ等が、必要に応じて通信回線６を介してサーバコンピュータ２にアクセスして、登録事項の確認や修正、削除等が可能となっている。
【００１０】
この連絡網システム１は、従来と同様に、サーバコンピュータ２から各携帯端末４へメール配信を行うことで、行事の中止や不審者に関する情報等を連絡するために使用されるが、保護者は、メール配信を受けるために、子供の氏名や学年等の必要な情報をサーバコンピュータ２に送信してデータベース３への登録を行う必要がある。以下この登録手続を図２のシーケンス図に基づいて説明する。
【００１１】
まず、保護者は、携帯端末４を用いてＵＲＬ等を入力することで、通信回線６を介してサーバコンピュータ２に接続する（Ｓ１）。このとき、学校側から予め提示されたＩＤやパスワード等を入力することで、サーバコンピュータ２へのアクセスを許可するようにしてもよい。但し、直接ＵＲＬを入力せず、携帯端末４からサーバコンピュータ２の特定のメールアドレスにメールを送り、メールを受けたサーバコンピュータ２がＵＲＬを記載したメールを携帯端末４に返信し、保護者が受信したメールのＵＲＬをクリックする等してサーバコンピュータ２に接続するようにしてもよい。
アクセスを受けたサーバコンピュータ２は、登録手続や変更、削除手続等の所定の案内画面を携帯端末４に出力させて、保護者が要求する手続の選択を求める（Ｓ２）。
【００１２】
Ｓ３で、保護者が携帯端末４から案内画面において登録手続の要求であることを選択して送信すると、サーバコンピュータ２は、携帯端末４に、保護者の氏名やメールアドレス等の入力を求める登録用画面や、子供の氏名等の入力を求める登録用画面を表示部５に出力させる登録用データを送信する（Ｓ４）。このうち子供の氏名等に係る登録用画面は、表示部５において、図３（Ａ）に示すように、１年〜６年の各学年の表示１０，１０・・を縦に並べ、その各学年の表示１０の横に、氏名を入力する入力欄１１，１１・・を夫々設けて、学年の表示１０と入力欄１１とを一対一で対応付けした内容として出力されるようになっている。
【００１３】
よって、保護者は、当該登録用画面において夫々必要な事項を入力することになるが、子供の名前等の登録用画面においては、同図（Ｂ）に示すように、自分の子供が該当する学年の表示１０の隣の入力欄１１に子供の氏名のみを入力すればよい。
そして、登録用画面に必要な事項を入力したら、Ｓ５において送信を行う。ここで送信される入力データは、入力欄１１に入力された氏名を対応する学年の表示１０に関連付けしたものとなっている。
【００１４】
入力データの返信を受けたサーバコンピュータ２は、Ｓ６において、登録手続を受け付けた旨の通知を携帯端末４に対して行う一方、送信された保護者名やメールアドレス、子供の氏名と学年等の必要な情報を所定のアプリケーションを用いてデータベース３に保管する。このとき、子供の氏名と学年とについては、当該氏名を学年に関連付けした格好で受け付けられているため、改めて関連付けの処理を行うことなく登録することができる。
よって、サーバコンピュータ２は、学年別に生徒の一覧を作成したり、特定の学年の保護者だけを対象としてメール配信を行ったり、新年度には一括して上の学年に生徒の名前の繰り上げを行う等の作業を容易に行うことができる。
【００１５】
このように、上記形態の連絡網システム１及びサーバコンピュータ２によれば、登録用画面を、学年の表示１０と氏名の入力欄１１とを一対一で対応付けて夫々全学年分表示した内容として、入力データにおいて、入力欄１１に入力された氏名を対応する学年の表示１０に関連付けしたことで、携帯端末４の表示部５に出力された登録用画面において、保護者は学年の表示１０に対応した入力欄１１に氏名のみを入力すれば足りる。よって、携帯端末４の小さい表示部５での入力操作に慣れていない保護者にも簡単に登録が可能となり、保護者の手間が軽減される上、入力ミスの発生も低減される。
【００１６】
なお、学年の表示と氏名の入力欄とは、必ずしも横並びである必要はなく、両者が一対一で対応する配置であれば、上下に並べる等、適宜変更して差し支えない。
また、登録手続のシーケンスも上記形態に限らず、例えば図２でのＳ２、Ｓ３の手続きの選択を省略して、Ｓ１で携帯端末からアクセスを受けたサーバコンピュータからＳ４で直ちに登録用データを送信するようにしてもよい。
さらに、データベースは、外部記憶装置に限らず、サーバコンピュータが内蔵する記憶装置に構築してもよい。
そして、本発明の連絡網システムは、幼稚園や小学校、中学校、高校等の各学校において適用可能であるため、登録用画面に出力される学年の表示も、学校の学年等の編成に合わせて適宜変更すればよい。
【図面の簡単な説明】
【００１７】
【図１】連絡網システムの概略図である。
【図２】登録手続のシーケンス図である。
【図３】登録用画面の説明図で、（Ａ）が入力前、（Ｂ）が入力後を夫々示す。
【図４】（Ａ）〜（Ｃ）は夫々従来の登録用画面を示す説明図である。
【符号の説明】
【００１８】
１・・連絡網システム、２・・サーバコンピュータ、３・・データベース、４・・携帯端末、５・・表示部、６・・通信回線、７・・パーソナルコンピュータ、１０・・学年の表示、１１・・入力欄。
【図１】
2010097495.tif 000003
【図２】
2010097495.tif 000004
【図３】
2010097495.tif 000005
【図４】
2010097495.tif 000006